(57)【要約】【課題】操作性の拡張を可能とした樹脂製固定具を提供する。【解決手段】基体片１０の爪部１３は、基体片１０の他端で一方向に突き出ており、爪誘導部１２は、爪部１３の内側に位置し、爪部１３から基体片１０の一端に向けて徐々に内側に変位する傾きを有した誘導斜面を備える。係止片２０は、係止本体部２０Ｂの端を内側で覆う半ドーム状を有した爪受け部２４を備え、爪受け部２４の縁２４Ｅと係止内面２０Ｓとが、係止片２０の一端に向く開口部を構成し、解除状態から挟持状態への遷移の際に、爪受け部２４の縁２４Ｅと誘導斜面とが対向し、爪受け部２４の縁２４Ｅに対する誘導斜面の押圧によって爪部１３が開口部内に誘導される。【選択図】図１
2019000149.tif 000002
【特許請求の範囲】
【請求項１】
一方向に延びる基体内面を有した板状の基体片と、
一方向に延びる係止内面を有した係止本体部を備える板状の係止片と、
前記基体片の一端と前記係止片の一端とを連結し、前記基体内面と前記係止内面とを相互に対向させる挟持状態と、前記基体内面上を開放する解除状態とを有するヒンジ部と、
を備える樹脂製固定具であって、
前記挟持状態での前記樹脂製固定具の外側が、前記各片の外側であり、
前記挟持状態での前記樹脂製固定具の内側が、前記各片の内側であり、
前記基体片の前記一方向の長さは、前記係止片の前記一方向の長さよりも短く、
前記基体片は、前記一方向の他端に、爪部と爪誘導部とを備え、前記爪部は、前記基体片の他端で前記一方向に突き出ており、前記爪誘導部は、前記爪部の内側に位置し、前記爪部から前記基体片の一端に向けて徐々に内側に変位する傾きを有した誘導斜面を備え、
前記係止片は、前記一方向の他端に位置し、前記係止本体部の端を内側で覆う半ドーム状を有した爪受け部を備え、前記爪受け部の縁と前記係止内面とが、前記係止片の一端に向く開口部を構成し、前記解除状態から前記挟持状態への遷移の際に、前記爪受け部の縁と前記誘導斜面とが対向し、前記爪受け部の縁に対する前記誘導斜面の押圧によって前記爪部が前記開口部内に誘導される
樹脂製固定具。
【請求項２】
前記係止本体部は、前記係止本体部の前記端を内側から外側まで貫通する発音孔をさらに備え、
前記爪受け部は、前記発音孔を内側から覆う
請求項１に記載の樹脂製固定具。
【請求項３】
前記係止片は、前記係止片の一端および他端よりも厚みが薄い反り部を前記係止片の一端と他端との間に備える
請求項１または２に記載の樹脂製固定具。
【請求項４】
前記爪受け部の縁は、前記誘導斜面を受け入れ可能な窪みを備える
請求項１から３のいずれか一項に記載の樹脂製固定具。
【請求項５】
前記基体片は、前記基体内面とは反対側の面である基体外面に、前記樹脂製固定具の利用者が触覚で認識可能な段差を有した段差部を備える
請求項１から４のいずれか一項に記載の樹脂製固定具。
【発明の詳細な説明】
【技術分野】
【０００１】
本発明は、基体片と係止片との挟持によって対象を固定する樹脂製固定具に関する。
【背景技術】
【０００２】
身体の腰部に装着されるベルトは、腰部の周長に対して余剰となる部分を備える。ベルトのなかで余剰となる部分は、例えば、ベルトの周回部分に固定具によって留められる。この類の固定具の一例として、余剰となる部分を拘束するための環状部と、周回部分の適所に掛けられて環状部をベルトの前面に位置決めするためのクリップとを備える構成が知られている。そして、周回部分の適所に掛けられたクリップによって環状部がベルトの前面に位置決めされて、余剰となる部分が環状部に差し込まれる（例えば、特許文献１を参照）。
【先行技術文献】
【特許文献】
【０００３】
【特許文献１】特開２０１１−２１２８５号公報
【発明の概要】
【発明が解決しようとする課題】
【０００４】
ところで、ライフジャケットなどの救命胴衣や、リュックサックなどの背負袋の装着品は、身体の腰部に装着されるベルトと同じく、複数の帯体を備えている。これらの帯体もまた、装着品の位置や装着品のサイズを装着者の身体に合わせるために、余剰となる部分を備えている。そして、余剰となる帯体は、装着品を利用する利用者の安全性を高める観点から、他の帯体や装着品の本体などに束ねて固定することが求められる。一方、上記装着品が使用されるシーンのなかには、例えば、片手に釣り竿を持っているフィッシング時、片手にステッキを持っている登山時、視界が良好ではない夜間や早朝などが含まれる。それゆえに、上記固定具には、片手での固定の操作、片手での解除の操作、視界が良好ではない環境での操作などの新たな利用のシーンに適した操作性が望まれている。
本発明の目的は、操作性の拡張を可能とした樹脂製固定具を提供することである。
【課題を解決するための手段】
【０００５】
上記課題を解決するための樹脂製固定具は、一方向に延びる基体内面を有した板状の基体片と、一方向に延びる係止内面を有した係止本体部を備える板状の係止片と、前記基体片の一端と前記係止片の一端とを連結し、前記基体内面と前記係止内面とを相互に対向させる挟持状態と、前記基体内面上を開放する解除状態とを有するヒンジ部と、を備える樹脂製固定具である。前記挟持状態での前記樹脂製固定具の外側が、前記各片の外側であり、前記挟持状態での前記樹脂製固定具の内側が、前記各片の内側であり、前記基体片の前記一方向の長さは、前記係止片の前記一方向の長さよりも短い。前記基体片は、前記一方向の他端に、爪部と爪誘導部とを備え、前記爪部は、前記基体片の他端で前記一方向に突き出ており、前記爪誘導部は、前記爪部の内側に位置し、前記爪部から前記基体片の一端に向けて徐々に内側に変位する傾きを有した誘導斜面を備える。前記係止片は、前記一方向の他端に位置し、前記係止本体部の端を内側で覆う半ドーム状を有した爪受け部を備え、前記爪受け部の縁と前記係止内面とが、前記係止片の一端に向く開口部を構成し、前記解除状態から前記挟持状態への遷移の際に、前記爪受け部の縁と前記誘導斜面とが対向し、前記爪受け部の縁に対する前記誘導斜面の押圧によって前記爪部が前記開口部内に誘導される。
【０００６】
上記構成によれば、基体片と係止片とによって対象が樹脂製固定具に固定されるとき、まず、基体内面と係止内面とが相互に対向するようにヒンジ部が折り曲げられる。次いで、開口部内に爪部が入るまで、誘導斜面の押圧が爪受け部の縁を変形させ、また、押圧による反力で係止片が反るように曲がる。そして、誘導斜面が爪受け部の縁を通過して、爪部が開口部内に入る。この際、反るように曲がっていた係止片や、誘導斜面に押圧されていた爪受け部の縁が、元の形状に戻り、形状が戻る際の振動によって音が発生する。結果として、解除状態から挟持状態への遷移に際し、爪部が開口部内に入るように、爪部と開口部とを爪誘導部が誘導する。そのため、基体片に係止片を係止させる操作を、片手によるヒンジ部の折り畳みによって利用者は実現できる。さらに、挟持状態への遷移の完了時に音が発生するため、挟持状態への遷移の完了を利用者は音によって認識できる。それゆえに、暗所での利用のシーンや、片手での利用のシーンに適した操作性を樹脂製固定具に付与することが可能となる。
【０００７】
上記樹脂製固定具において、前記係止本体部は、前記係止本体部の前記端を内側から外側まで貫通する発音孔をさらに備え、前記爪受け部は、前記発音孔を内側から覆ってもよい。この樹脂製固定具によれば、係止本体部の発音孔を半ドーム状の爪受け部が覆うため、挟持状態への遷移の完了時に発生する音が共鳴によって増幅される。
【０００８】
上記樹脂製固定具において、前記係止片は、前記係止片の一端および他端よりも厚みが薄い反り部を前記係止片の一端と他端との間に備えてもよい。この樹脂製固定具によれば、誘導斜面の押圧による反力が係止片に作用する際に、反り部を起点として係止片が反りやすくなる。
【０００９】
上記樹脂製固定具において、前記爪受け部の縁は、前記誘導斜面を受け入れ可能な窪みを備えてもよい。この樹脂製固定具によれば、誘導斜面が爪受け部の窪みに受け入れられた状態で、爪誘導部の誘導斜面が爪受け部の縁を押圧する。結果として、爪受け部の縁を誘導斜面が押圧するときに、爪受け部の縁と、誘導斜面との相対的な位置のずれが抑えられる。そのため、誘導斜面の押圧による開口部の変形、ひいては、解除状態から挟持状態への遷移が円滑に行われる。
【００１０】
上記樹脂製固定具において、前記基体片は、前記基体内面とは反対側の面である基体外面に、前記樹脂製固定具の利用者が触覚で認識可能な段差を有した段差部を備えてもよい。この樹脂製固定具によれば、基体内面と基体外面との差異を利用者は触覚で認識することが可能ともなるため、視界が良好ではないシーンでの対象の固定操作や固定の解除操作が円滑に行われる。
【発明の効果】
【００１１】
本発明によれば、樹脂製固定具の操作性を拡張することが可能となる。
【図面の簡単な説明】
【００１２】
【図１】樹脂製固定具の上面視の斜視構造を示す斜視図。
【図２】樹脂製固定具の下面視の斜視構造を示す斜視図。
【図３】解除状態での樹脂製固定具の断面構造を示す断面図。
【図４】樹脂製固定具のヒンジ部の断面構造を拡大して示す断面図。
【図５】誘導開始時での樹脂製固定具の断面構造を示す断面図。
【図６】挟持状態での樹脂製固定具の断面構造を示す断面図。
【図７】変形例の樹脂製固定具の平面構造を示す平面図。
【図８】他の変形例の樹脂製固定具の平面構造を示す平面図。
【発明を実施するための形態】
【００１３】
図１が示すように、樹脂製固定具は、基体片１０、係止片２０、および、ヒンジ部３０を備える。樹脂製固定部は、これらが基体片１０、係止片２０、および、ヒンジ部３０を一体として成形した樹脂製品である。ヒンジ部３０は、基体片１０の一端である基端Ｅ１Ｂと、係止片２０の一端である基端Ｅ２Ｂとを連結している。基体片１０と係止片２０とは、共通する一方向に延びる。
【００１４】
以下では、基体片１０および係止片２０の延びる方向が長手方向であり、長手方向と直交する方向が幅方向である。基体片１０と係止片２０とが長手方向に並ぶ状態は、ヒンジ部３０の解除状態であり、基体片１０と係止片２０とが相互に対向する状態は、ヒンジ部３０の挟持状態である。挟持状態での樹脂製固定具の外表面に対する外側が、基体片１０および係止片２０の外側であり、挟持状態での樹脂製固定具の外表面に対する内側が、基体片１０および係止片２０の内側である。
【００１５】
基体片１０は、基体本体部１０Ｂと係止歯１１とを備える。基体本体部１０Ｂは、長手方向に延びる板状であり、かつ、基体本体部１０Ｂの周縁を基体本体部１０Ｂの中央よりも反り上げる曲板状を有する。基体本体部１０Ｂは、挟持状態での係止片２０と対向する凹曲面として基体内面１０Ｓを備える。
【００１６】
係止歯１１は、基体内面１０Ｓから内側（図１の上側）に向けて立設されている。係止歯１１は、長手方向において、基体本体部１０Ｂのほぼ全体に延びる板状を有する。係止歯１１の内側端面（図１の上端面）は、長手方向に延びる波状を有している。係止歯１１の各歯先は、各歯において、係止歯１１の長手方向のほぼ中央に偏っている。
【００１７】
基体片１０の他端部である先端Ｅ１Ｔは、長手方向に突き出る爪部１３と、爪部１３から基体内面１０Ｓにわたり立設された爪誘導部１２とを備える。爪部１３は、基体片１０の先端Ｅ１Ｔから外側（図１の下側）に湾曲するフック状の断面を幅方向に連続させている。爪部１３は、挟持状態において係止片２０に引っ掛かる引っ掛かり部として機能する。
【００１８】
爪誘導部１２は、係止歯１１よりも先端Ｅ１Ｔの側に位置し、かつ、爪部１３の内側（図１の上側）に位置する。爪誘導部１２は、係止歯１１と連なるように、係止歯１１から先端Ｅ１Ｔまで長手方向に延びる。爪誘導部１２の内側端面（図１の上端面）は、誘導斜面である。誘導斜面は、緩やかな曲面であり、先端Ｅ１Ｔから基端Ｅ１Ｂに向けて徐々に内側（図１の上側）に変位する傾きを有する。
【００１９】
係止片２０は、係止本体部２０Ｂと爪受け部２４とを備える。係止本体部２０Ｂは、長手方向に延びる板状であり、かつ、基体本体部１０Ｂと同じく、係止本体部２０Ｂの周縁を係止本体部２０Ｂの中央よりも反り上がる曲板状を有する。係止本体部２０Ｂは、挟持状態での基体片１０と対向する凹曲面として係止内面２０Ｓを備える。
【００２０】
係止本体部２０Ｂは、長手方向のほぼ中央に反り部２１を備える。反り部２１の幅方向の長さは、係止本体部２０Ｂのなかで、反り部２１以外の他の部位よりも小さい。係止片２０は、反り部２１を起点として反りやすい形状を有する。また、係止片２０は、長手方向のほぼ中央に、長手方向に延びる貫通孔２２を備える。貫通孔２２は、幅方向における反り部２１の厚みを、係止片２０の基端Ｅ２Ｂや先端Ｅ２Ｔよりも薄くし、それによって、反り部２１を起点として係止片２０をさらに反りやすくする。なお、反り部２１の位置する範囲は、係止片２０の長手方向の長さを１００％としたとき、係止片２０の長手方向の中央から長手方向の両方向にそれぞれ２０％以内であることが好ましい。
【００２１】
係止本体部２０Ｂは、係止内面２０Ｓの先端Ｅ２Ｔの側に、係止本体部２０Ｂの内側から外側まで（図１の上側から下側まで）を貫通する発音孔２３を備える。発音孔２３は、幅方向において、係止本体部２０Ｂのほぼ全体にわたり、爪受け部２４によって覆われている。
【００２２】
爪受け部２４は、係止本体部２０Ｂの周縁のなかで、係止本体部２０Ｂの一端における縁と連結した半ドーム状を有する。係止内面２０Ｓと対向する方向から見て、爪受け部２４は、発音孔２３の一部を覆う。爪受け部２４における基端Ｅ２Ｂ側の縁２４Ｅと、係止内面２０Ｓにおける先端Ｅ２Ｔ側の縁とは、係止片２０の基端Ｅ２Ｂに向く開口部を構成する。幅方向において、爪受け部２４の縁２４Ｅの有する長さは、爪部１３の有する長さよりも大きい。爪受け部２４の縁２４Ｅは、挟持状態への遷移において、爪部１３が開口部に入ること、および、爪部１３の先端である引っ掛かり部が爪受け部２４の縁２４Ｅに引っ掛かることを可能としている。
【００２３】
爪受け部２４の内側面（図１の上面）は、複数の突起２５を備える。各突起２５は、段差部の一例であり、樹脂製固定具を利用する利用者が各突起２５の存在を触覚で認識可能な段差を有する。複数の突起２５は、係止片２０のなかの爪受け部２４の位置を触覚によって利用者に認識させる。
【００２４】
爪受け部２４の縁２４Ｅは、爪誘導部１２の誘導斜面を受け入れ可能な窪み２６を備える。窪み２６の深さは、爪受け部２４の縁２４Ｅから先端Ｅ２Ｔに向けて徐々に浅くなる。挟持状態への遷移において、窪み２６は、窪み２６への爪誘導部１２の進入を促し、爪誘導部１２の誘導斜面と、爪受け部２４の縁２４Ｅとの相対的な位置のずれを抑える。
【００２５】
図２が示すように、基体片１０の先端Ｅ１Ｔにおける外面（図２の下面）は、複数の突起１４を備える。複数の突起１４は、段差部の一例であり、突起２５と同じく、樹脂製固定具を利用する利用者が突起２５の存在を触覚で認識可能な段差を有する。複数の突起１４は、基体片１０のなかの先端Ｅ１Ｔの位置、特に、基体片１０のなかの爪部１３の位置を触覚によって利用者に認識させる。また、複数の突起１４は、挟持状態への遷移において、利用者の指などの基体片１０の外面での滑りを抑える。
【００２６】
係止本体部２０Ｂの外面（図２の下面）は、貫通孔２２よりも基端Ｅ２Ｂの側に、表示部２７を備える。表示部２７は、樹脂製固定具の製品名や、樹脂製固定具の製品番号などの表示に用いられる。なお、反り部２１の位置する範囲、すなわち、貫通孔２２の位置する範囲が、上述した好ましい範囲内であれば、表示部２７の大きさを係止本体部２０Ｂの外面で十分に確保することが可能ともなる。
【００２７】
係止本体部２０Ｂの外面は、貫通孔２２よりも先端Ｅ２Ｔ側に、複数の突起２８を備える。複数の突起２８は、段差部の一例であり、突起１４，２５と同じく、樹脂製固定具を利用する利用者が突起２８の存在を触覚で認識可能な段差を有する。複数の突起２８は、係止本体部２０Ｂの先端Ｅ２Ｔの位置、特に、挟持状態において突起１４と対向する位置を触覚によって利用者に認識させる。複数の突起２８は、挟持状態への遷移において、利用者の指などの係止片２０の外面での滑りを抑える。
【００２８】
発音孔２３の内部には、爪受け部２４から外側（図２の下側）に向けて区画壁２９が立設されている。幅方向において、区画壁２９は、発音孔２３の全体にわたり位置する。区画壁２９は、１つの発音孔２３を、基端Ｅ２Ｂの側の空間Ｓ１と、先端Ｅ２Ｔの側の空間Ｓ２とに区画する。空間Ｓ１は、挟持状態において爪部１３を入れるための空間であり、挟持状態での爪部１３を長手方向で位置決めするための空間でもある。空間Ｓ２は、発音孔２３のなかの空間Ｓ１以外の空間であり、例えば、可聴域の音を発音孔２３で増幅させるため機能を備えてもよい。すなわち、長手方向における区画壁２９の位置は、可聴域の音を発音孔２３にて共鳴させる位置であることが好ましい。
【００２９】
図３が示すように、長手方向において、ヒンジ部３０と爪部１３との距離は、被係止距離Ｌ１１である。長手方向において、爪誘導部１２の内側端（図３の上端）とヒンジ部３０との距離は、誘導距離Ｌ１２である。長手方向において、爪受け部２４の縁２４Ｅとヒンジ部３０との距離は、係止距離Ｌ２１である。
【００３０】
被係止距離Ｌ１１は、係止距離Ｌ２１よりも長く、それによって、挟持状態では、爪部１３が爪受け部２４に引っ掛かることが可能となる。誘導距離Ｌ１２は、被係止距離Ｌ１１よりも短く、かつ、係止距離Ｌ２１よりも長い。それによって、挟持状態への遷移では、爪誘導部１２の誘導斜面が、爪受け部２４の縁２４Ｅを押圧し、かつ、誘導斜面の傾斜に追従して爪誘導部１２が爪受け部２４の縁２４Ｅを滑るように、爪部１３が開口部内に近づくことが可能となる。
【００３１】
図４が示すように、ヒンジ部３０は、折り曲げ部３１と連結部３２とから構成される。折り曲げ部３１の厚みＷＴは、連結部３２の厚みよりも薄い。長手方向において、折り曲げ部３１の長さＷＨは、ヒンジ部３０の長さＷＬから長さＷＨを差し引いた長さ、すなわち、連結部３２の長さよりも短い。
【００３２】
ヒンジ部３０は、ヒンジ部３０のなかで長手方向の長さが短い折り曲げ部３１を別途備えるため、挟持状態への遷移において、折れ曲がる部位が長手方向でばらつくことを抑える。折れ曲がる部位の長手方向のばらつきは、被係止距離Ｌ１１、誘導距離Ｌ１２、および、係止距離Ｌ２１のばらつきを招く。この点、ヒンジ部３０が別途折り曲げ部３１を備える構成であれば、これらの距離のばらつきを抑えること、ひいては、爪誘導部１２と爪受け部２４の縁２４Ｅとの相関による爪部１３の誘導の再現性を高めることが可能ともなる。また、ヒンジ部３０の曲げによる変性が、厚みの薄い折り曲げ部３１で生じるため、折り曲げ部３１の厚みが厚い構成と比べて、ヒンジ部３０における色味の変化を抑えることが可能ともなる。
【００３３】
［作用］
図５が示すように、樹脂製固定具が対象を固定する場合、まず、解除状態の樹脂製固定具において、基体片１０の突起１４が親指で押さえられ、係止片２０の突起２８が人差し指で押さえられ、それによって、ヒンジ部３０が解除状態から挟持状態に向けて遷移しはじめる。この間に、基体片１０と係止片２０との間には、対象が配置される。そして、基体片１０と係止片２０とによる対象の挟み込みが進むと、爪誘導部１２の誘導斜面が爪受け部２４の窪み２６に入り込み、爪誘導部１２の誘導斜面が爪受け部２４の縁２４Ｅを押圧しはじめる。
【００３４】
この際、爪受け部２４の縁２４Ｅにおいて、窪み２６は窪み２６への爪誘導部１２の進入を促し、かつ、爪誘導部１２の誘導斜面と爪受け部２４の縁２４Ｅとの相対的な位置のずれを抑える。また、爪誘導部１２の誘導斜面によって押圧される爪受け部２４は、図中上側に向けて反るように変形し、また、押圧の反力を受ける係止片２０は、反り部２１を起点として図中上側に向けて反るように変形する。そして、爪誘導部１２の誘導斜面が備える傾斜に従って、係止内面２０Ｓに向けた爪誘導部１２の接近が円滑に進む。
【００３５】
図６が示すように、爪受け部２４の縁２４Ｅと、係止内面２０Ｓの先端Ｅ２Ｔ側の縁とによって開口部が構成され、爪誘導部１２の誘導斜面がその開口部を通過すると、基体内面１０Ｓと係止内面２０Ｓとが対向する挟持状態に遷移する。そして、爪部１３は開口部内に進入して空間Ｓ１に収容され、爪部１３の爪端１３Ｅが、爪受け部２４の縁２４Ｅに引っ掛かる。
【００３６】
この際、反るように曲がっていた係止片２０や、誘導斜面に押圧されていた爪受け部２４の縁２４Ｅが、元の形状に戻り、形状が戻る際の振動によって発音孔２３で音が発生する。この間、複数の突起１４，２８は、挟持状態への遷移において、基体片１０の外面や係止片２０の外面で利用者の指が滑ることを抑える。
【００３７】
なお、挟持状態から解除状態への遷移に際しては、まず、挟持状態の樹脂製固定具において、係止片２０の突起２８が人差し指で押さえられ、係止片２０の突起２５が親指で押さえられる。そして、爪受け部２４を係止本体部２０Ｂに向けて反らせる外力が爪受け部２４に作用し、それによって、爪部１３の爪端１３Ｅによる引っ掛かりが解除され、樹脂製固定具が解除状態に遷移する。
【００３８】
以上、上記実施形態によれば、以下の効果が得られる。
（１）解除状態から挟持状態への遷移に際し、爪部１３が開口部内に入るように、爪部１３と開口部とを爪誘導部１２が誘導する。そのため、基体片１０に係止片２０を係止させる操作を、片手によるヒンジ部３０の折り畳みによって利用者は実現できる。
【００３９】
（２）挟持状態への遷移の完了時に音が発生するため、挟持状態への遷移の完了を利用者は音によって認識できる。それゆえに、暗所での利用のシーンや、片手での利用のシーンに適した操作性を樹脂製固定具に付与することが可能となる。
【００４０】
（３）係止本体部２０Ｂの発音孔２３を半ドーム状の爪受け部２４が覆うため、挟持状態への遷移の完了時に発生する音が共鳴によって増幅される。結果として、暗所での利用のシーンにさらに適した操作性を樹脂製固定具に付与することが可能となる。
【００４１】
（４）誘導斜面の押圧による反力が係止片２０に作用する際に、反り部２１を起点として係止片２０が反りやすくなる。結果として、係止片２０の反りの戻りに起因した音をより確実に発生させることが可能ともなる。
【００４２】
（５）爪受け部２４の縁２４Ｅを誘導斜面が押圧するときに、爪受け部２４の縁２４Ｅと、誘導斜面との相対的な位置のずれを、誘導斜面を受け入れる窪み２６が抑える。そのため、誘導斜面の押圧による開口部の変形、ひいては、解除状態から挟持状態への遷移が円滑に行われる。
【００４３】
（６）基体片１０の内面と外面との差異、および、係止片２０の内面と外面との差異、さらには、基体片１０の先端Ｅ１Ｔや係止片２０の先端Ｅ２Ｔの位置を、突起１４，２５，２８に触れる利用者は、触覚で認識することが可能ともなる。そのため、視界が良好ではないシーンでの対象の固定操作や固定の解除操作が円滑に行われる。
【００４４】
なお、上記実施形態は以下のように変更して実施することも可能である。
［樹脂製固定具］
・樹脂製固定具を構成する樹脂は、例えば、ポリプロピレン、ポリフッ化ビニリデン、エラストマー、ポリプロピレンとポリエチレンとの混合物、ポリプロピレンとエラストマーとの混合物である。ポリプロピレンとポリエチレンとの混合物は、例えば、混合物の重量に対するポリプロピレンの重量の比が５０％以上であることが好ましい。
【００４５】
ポリエチレンの曲げ強さが７０ｋｇｆ／ｃｍ２であることに対して、ポリプロピレンの曲げ強さは４２０〜５６０ｋｇｆ／ｃｍ２である。上述したように、係止片２０の反りや爪受け部２４の変形が伴う樹脂製固定具では、ポリプロピレンの重量比が５０％以上であることによって、樹脂製固定具の機械的な強度を得ることが可能ともなる。また、樹脂製固定具によって固定される対象の厚みが大きいほど、挟持状態での基体片１０や係止片２０は湾曲する。そのため、ポリプロピレンの重量比が５０％以上である構成であれば、挟持状態への遷移に伴う係止片２０の反りの他に、挟持状態での基体片１０や係止片２０の変形に対しても、機械的な強度を得ることが可能ともなる。他方、挟持状態に遷移した際に生じる音を大きくする観点では、樹脂製固定具を構成する樹脂の曲げ強度が高すぎないことが好ましい。この点、樹脂製固定具を構成する樹脂が、ポリプロピレンとポリエチレンとの混合物であって、かつ、混合物の重量に対するポリエチレンの重量の比が１０％以上２０％以下であれば、樹脂製固定具の機械的な強度を得ることに加えて、挟持状態に遷移した際に生じる音を大きくすることが可能ともなる。
【００４６】
［係止歯１１］
・係止歯１１の先端面は、基体片１０の長手方向に延びる波形状に限らず、例えば、基体片１０の長手方向に延びる直線状や半円弧状とすることも可能である。係止歯１１の先端面が有する形状は、樹脂製固定具の固定対象の材質や形状に応じて適宜変更することが可能である。
【００４７】
［爪誘導部１２］
・爪誘導部１２は、係止歯１１と別体とすることも可能である。この際、爪誘導部１２は、基体片１０の長手方向に延びる複数の突片に具体化することも可能である。要は、爪誘導部１２は、爪部１３から基端Ｅ１Ｂに向けて内側に徐々に変位する傾斜を有した誘導斜面を備える構成であればよい。そして、爪誘導部１２は、解除状態から挟持状態への遷移の際に、爪受け部２４の縁２４Ｅと誘導斜面とが対向し、爪受け部２４の縁２４Ｅに対する誘導斜面の押圧によって爪部１３が開口部内に誘導される構造体であればよい。
【００４８】
［爪部１３］
・爪部１３は、基体片１０の先端Ｅ１Ｔから下方に湾曲するフック状に限らず、例えば、単に長手方向に突き出る片とすることも可能である。また、基体片１０の先端Ｅ１Ｔは、幅方向に並ぶ複数の爪部１３を備えることも可能である。この際、基体片１０は、各爪部１３に１つずつ爪誘導部１２を備えることも可能であり、また、全ての爪部１３に共通する幅方向に連続した１つの爪誘導部１２を備えることも可能である。
【００４９】
［反り部２１］
・係止片２０は、貫通孔２２を割愛された構成とすることも可能である。このような構成であっても、反り部２１の厚みは、幅方向の全体にわたり基端Ｅ２Ｂや先端Ｅ２Ｔよりも薄い、あるいは、反り部２１の幅方向の長さは、基端Ｅ２Ｂや先端Ｅ２Ｔよりも短いため、反り部２１を起点として係止片２０を反りやすくすることは可能である。
【００５０】
なお、係止片２０は、反り部２１を割愛し、貫通孔２２のみを備える構成とすることも可能であり、また、反り部２１に相当する部位での厚みを基端Ｅ２Ｂや先端Ｅ２Ｔの厚みよりも薄くすることも可能である。
【００５１】
［発音孔２３］
・係止片２０は、複数の発音孔２３を備えることも可能である。この際、発音孔２３の大きさ、形状、数量に合わせて、発音孔２３で音が発生するように、さらには、発音孔２３で音が共鳴するように、区画壁２９は配置される。なお、発音孔２３を割愛することも可能である。
【００５２】
［爪受け部２４］
・爪受け部２４の縁２４Ｅは、外面において、先端Ｅ２Ｔに向けて窪む階段構造を備えることも可能である。例えば、爪受け部２４の縁２４Ｅは、挟持状態への遷移において、爪部１３の爪端が嵌る第１段差部と、挟持状態において爪部１３の爪端が嵌る第２段差部とを備え、第２段差部が第１段差部の外側かつ先端Ｅ２Ｔ側に位置することも可能である。こうした階段構造を縁２４Ｅが備える構成であれば、爪部１３の爪端が第１段差部に嵌ることによって、基体片１０に対して係止片２０を仮止めすることが可能となり、爪部１３の爪端が第２段差部に嵌ることによって、基体片１０に対して係止片２０を位置決めすることが可能となる。そのため、樹脂製固定具の操作性をさらに拡張することが可能ともなる。
【００５３】
［ヒンジ部３０］
・図７が示すように、ヒンジ部３０は、長手方向の中心から各片に向けて順に、折り曲げ部３１、連結部３２、補強部３４を備えることも可能である。補強部３４の厚みは、連結部３２よりも厚く、かつ、基体片１０や係止片２０の厚みよりも薄い。こうした構成であれば、上述した折り曲げ部３１によって得られる効果の他に、ヒンジ部３０と各片との連結における機械的な強度を得ることが可能ともなる。この際、補強部３４は、各片から連結部３２に向けて、幅方向の長さを徐々に短くすることも可能である。また、図８が示すように、補強部３４、連結部３２、折り曲げ部３１において、幅方向の長さを各片よりも短い一定値とすることも可能である。
【００５４】
［段差部］
・基体片１０の先端Ｅ１Ｔや係止片２０の先端Ｅ２Ｔなどを触覚によって認識させる機能は、複数の突起１４，２５，２８の他に、例えば、複数の溝や粗面などに具体化することも可能である。
【００５５】
・基体片１０の先端Ｅ１Ｔを触覚によって認識させる機能と、係止片２０の先端Ｅ２Ｔを触覚によって認識させる機能とは、相互に異なる大きさや数量を有した段差によって具体化することも可能である。こうした段差を有する構成であれば、基体片１０と係止片２０とを触覚によって認識させることが可能ともなる。この際、基体片１０と係止片２０とのいずれか一方から上述した段差を割愛することも可能である。
【００５６】
・基体片１０の先端Ｅ１Ｔや係止片２０の先端Ｅ２Ｔなどを触覚によって認識させる機能は、例えば、複数の突起１４，２５，２８の配列によって、点字としての情報を含めることが可能でもある。
【符号の説明】
【００５７】
Ｓ１，Ｓ２…空間、ＷＨ，ＷＬ…長さ、Ｅ１Ｂ，Ｅ２Ｂ…基端、Ｅ１Ｔ，Ｅ２Ｔ…先端、Ｌ１１…被係止距離、Ｌ１２…誘導距離、Ｌ２１…係止距離、１０…基体片、１０Ｂ…基体本体部、１０Ｓ…基体内面、１１…係止歯、１２…爪誘導部、１３…爪部、１３Ｅ…爪端、１４…突起、２０…係止片、２０Ｂ…係止本体部、２０Ｓ…係止内面、２１…反り部、２２…貫通孔、２３…発音孔、２４…爪受け部、２４Ｅ…縁、２５…突起、２６…窪み、２７…表示部、２８…突起、２９…区画壁、３０…ヒンジ部、３１…折り曲げ部、３２…連結部、３４…補強部。
【図１】
2019000149.tif 000003
【図２】
2019000149.tif 000004
【図３】
2019000149.tif 000005
【図４】
2019000149.tif 000006
【図５】
2019000149.tif 000007
【図６】
2019000149.tif 000008
【図７】
2019000149.tif 000009
【図８】
2019000149.tif 000010